(57)【要約】【課題】在庫管理の管理者が品目ごとにその品目に対する在庫管理の重要度を決定することを支援する。【解決手段】在庫管理装置１は、在庫実績情報１１、販売実績情報１２、生産実績情報１３を記憶しており、在庫管理に関する、２つの特徴量を用いた座標軸をそれぞれ、品目ごとにプロットされる散布図の、横軸および縦軸として決定する座標軸決定手段２１と、在庫実績情報１１、販売実績情報１２、生産実績情報１３を参照して、所定の時点における散布図を作成し、作成した散布図を表示部に表示させる散布図表示制御手段２２と、入力部から、横軸に関する境界値、および縦軸に関する境界値が入力されると、２つの境界値を用いた縦横境界線で散布図を分割する散布図分割手段２３と、入力部からの入力により、分割された散布図の個々の領域に属するプロットに対応する品目ごとに所定の時点における在庫管理の重要度を決定する重要度決定手段２４と、を備える。【選択図】図１
2015185007.tif 000002
【特許請求の範囲】
【請求項１】
記憶部、制御部、入力部および表示部を備え、複数の品目の在庫管理を行う在庫管理装置において、
前記記憶部は、前記在庫管理に関する実績値を、所定の時間単位で前記品目ごとに記憶しており、
前記制御部は、
前記在庫管理に関する、第１の特徴量および第２の特徴量を用いた座標軸をそれぞれ、前記品目ごとにプロットされる散布図の、第１の座標軸および第２の座標軸として決定する座標軸決定手段と、
前記記憶部を参照して、所定の時点における前記散布図を作成し、前記作成した散布図を前記表示部に表示させる散布図表示制御手段と、
前記入力部から、前記第１の座標軸に関する１または複数の第１の境界値、および前記第２の座標軸に関する１または複数の第２の境界値が入力されると、前記第１の境界値および前記第２の境界値を用いた境界線で前記散布図を分割する散布図分割手段と、
前記入力部からの入力により、前記分割された前記散布図の個々の領域内の全てに表示されたリストから、前記在庫管理の重要度を決定するための選択値を選択することで、前記個々の領域に属する前記プロットに対応する前記品目ごとに前記所定の時点における前記在庫管理の重要度を決定し、前記決定した重要度を前記記憶部に記憶させる重要度決定手段と、を備える、
ことを特徴とする在庫管理装置。
【請求項２】
前記制御部は、さらに、
前記散布図表示制御手段が、前記所定の時点が第１の時点であるときの前記散布図である第１時点散布図を作成し、前記作成した第１時点散布図を前記表示部に表示させる場合において、
前記第１の時点よりも前の第２の時点において前記重要度決定手段が前記品目ごとに決定して前記記憶部に記憶させている前記重要度のうち特定の重要度が割り当てられた品目に対応するプロットを、前記第１時点散布図上に強調表示する強調表示制御手段、を備える、
ことを特徴とする請求項１に記載の在庫管理装置。
【発明の詳細な説明】
【技術分野】
【０００１】
本発明は、品目の在庫管理を行う技術に関する。
【背景技術】
【０００２】
製造業、物流業、小売業などの事業を営む企業にとって、在庫水準を適正化するための在庫管理が重要である。しかし、在庫管理の品目数（例：数千単位や数万単位）が多い場合、すべての品目に対して厳密な在庫管理を限られた時間内で行うことは困難である。
【０００３】
そこで、品目ごとに在庫管理の重要度を決定し、品目を、重点的に在庫管理する品目である重点管理品とそうでない非重点管理品とに分類し、重点管理品を厳密に管理するという手法が有用である。
【０００４】
在庫管理の重要度を決定する手法にはＡＢＣ分析があり、特許文献１には、ＡＢＣ分析を用いた在庫管理の技術について開示されている。
【先行技術文献】
【特許文献】
【０００５】
【特許文献１】特開２００１−７６０６９号公報
【発明の概要】
【発明が解決しようとする課題】
【０００６】
特許文献１の技術を含む従来の在庫管理の技術によれば、在庫管理の管理者は、在庫金額および販売金額などの特徴量の、例えば日単位の推移を示した数値の羅列を、品目ごとに見て、在庫管理の重要度を決定する手法を必要とした。しかしながら、このような手法は、在庫管理の管理者にとって負担が大きい。
【０００７】
このような事情に鑑みて、本発明は、在庫管理の管理者が品目ごとにその品目に対する在庫管理の重要度を決定することを支援することを目的とする。
【課題を解決するための手段】
【０００８】
前記目的を達成するため、本発明は、
記憶部、制御部、入力部および表示部を備え、複数の品目の在庫管理を行う在庫管理装置において、
前記記憶部は、前記在庫管理に関する実績値を、所定の時間単位で前記品目ごとに記憶しており、
前記制御部は、
前記在庫管理に関する、第１の特徴量および第２の特徴量を用いた座標軸をそれぞれ、前記品目ごとにプロットされる散布図の、第１の座標軸および第２の座標軸として決定する座標軸決定手段と、
前記記憶部を参照して、所定の時点における前記散布図を作成し、前記作成した散布図を前記表示部に表示させる散布図表示制御手段と、
前記入力部から、前記第１の座標軸に関する１または複数の第１の境界値、および前記第２の座標軸に関する１または複数の第２の境界値が入力されると、前記第１の境界値および前記第２の境界値を用いた境界線で前記散布図を分割する散布図分割手段と、
前記入力部からの入力により、前記分割された前記散布図の個々の領域内の全てに表示されたリストから、前記在庫管理の重要度を決定するための選択値を選択することで、前記個々の領域に属する前記プロットに対応する前記品目ごとに前記所定の時点における前記在庫管理の重要度を決定し、前記決定した重要度を前記記憶部に記憶させる重要度決定手段と、を備える、
ことを特徴とする。
詳細は、後記する。
【発明の効果】
【０００９】
本発明によれば、在庫管理の管理者が品目ごとにその品目に対する在庫管理の重要度を決定することを支援することができる。
【図面の簡単な説明】
【００１０】
【図１】本実施形態の在庫管理装置のソフトウェア構成図である。
【図２】在庫実績情報のデータ構造図である。
【図３】販売実績情報のデータ構造図である。
【図４】生産実績情報のデータ構造図である。
【図５】品目マスタ情報のデータ構造図である。
【図６】在庫管理装置の表示部の画面表示例である。
【図７】散布図の座標軸を決定するための画面表示例である。
【図８】散布図内に境界線を追加するための画面表示例である。
【図９】散布図内の境界線の位置を決定するための画面表示例である。
【図１０】散布図内で分割された領域の管理区分を選択するための画面表示例である。
【図１１】品目ごとに在庫管理の重要度を決定するための画面表示例である。
【図１２】重点管理品の在庫水準の適正化を説明するための散布図である。
【図１３】過去に決定した重点管理品の強調表示を説明するための散布図である。
【発明を実施するための形態】
【００１１】
次に、本発明を実施するための形態（以下、「実施形態」という。）について、適宜図面を参照しながら説明する。
【００１２】
≪構成≫
本実施形態の在庫管理装置１は、入力部、出力部、制御部および記憶部といったハードウェアを含むコンピュータである。入力部は、例えば、入力インタフェースから構成されており、キーボード、ポインティングデバイス、タッチパネルなどのユーザが操作する手段を含む。出力部は、例えば、出力インタフェースから構成されており、ディスプレイなどの表示部を含む。制御部は、例えば、ＣＰＵ（Central Processing Unit）や専用回路から構成される。記憶部は、例えば、ＲＡＭ（Random Access Memory）、ＲＯＭ（Read Only Memory）、ＨＤＤ（Hard Disk Drive）、フラッシュ（登録商標）メモリの記憶媒体から構成される。前記制御部がＣＰＵから構成される場合、その制御部を含むコンピュータによる情報処理は、ＣＰＵによるプログラム実行処理で実現する。また、そのコンピュータが含む記憶部は、ＣＰＵが指令し、そのコンピュータの機能を実現するためのプログラム（在庫管理用のプログラムを含む）を記憶する。これによりソフトウェアとハードウェアの協働が実現される。
【００１３】
本実施形態は、前記情報処理を実行させるプログラムによって実現することができ、そのプログラムをコンピュータによる読み取り可能な記録媒体（例：ＣＤ−ＲＯＭ）に記憶して提供することができる。また、そのプログラムを、インターネットなどのネットワークを通して提供することもできる。
【００１４】
図１を参照すると、本実施形態の在庫管理装置１は、在庫実績情報１１と、販売実績情報１２と、生産実績情報１３と、品目マスタ情報１４と、座標軸決定手段２１と、散布図表示制御手段２２と、散布図分割手段２３と、重要度決定手段２４と、強調表示制御手段２５といったソフトウェアの構成要素を備えている。在庫実績情報１１、販売実績情報１２、生産実績情報１３、および品目マスタ情報１４は記憶部に記憶されている。また、座標軸決定手段２１、散布図表示制御手段２２、散布図分割手段２３、重要度決定手段２４、および強調表示制御手段２５として機能させるプログラムが記憶部に記憶されており、制御部はそのプログラムを読み出して、所定の処理を実行する。
【００１５】
在庫実績情報１１は、品目の在庫量の実績値の時間推移を示す情報である。在庫実績は、品目の個数で表してもよいし、前記個数に品目の単価を掛け合わせた在庫金額で表してもよい。
図２を参照すると、在庫実績情報１１は、「確認日」、「在庫量」といった項目を有するデータ構造をとっており、ＳＫＵ（Stock Keeping Unit）コードが付された品目ごとに生成される。
【００１６】
「確認日」には、品目の在庫量の確認が行われた日が格納される。図２の在庫実績情報１１は、日単位でエントリが作成されるが、例えば１時間、１ヶ月、１年といった時間間隔で格納することもできる。
「在庫量」には、品目の在庫量（個数）が格納される。
【００１７】
販売実績情報１２は、品目の販売量の実績値の時間推移を示す情報である。販売実績は、品目の個数で表してもよいし、前記個数に品目の単価を掛け合わせた販売金額で表してもよい。
図３を参照すると、販売実績情報１２は、「販売日」、「販売量」といった項目を有するデータ構造をとっており、ＳＫＵコードが付された品目ごとに生成される。
【００１８】
「販売日」には、品目の販売が行われた日が格納される。図３の販売実績情報１２は、日単位でエントリが作成されるが、例えば１時間、１ヶ月、１年といった時間間隔で格納することもできる。
「販売量」には、品目の販売量（個数）が格納される。
【００１９】
生産実績情報１３は、品目の生産量の実績値の時間推移を示す情報である。生産実績は、品目の個数で表してもよいし、前記個数に品目の単価を掛け合わせた生産金額で表してもよい。
図４を参照すると、生産実績情報１３は、「生産日」、「生産量」といった項目を有するデータ構造をとっており、ＳＫＵコードが付された品目ごとに生成される。
【００２０】
「生産日」には、品目の生産が行われた日が格納される。図４の生産実績情報１３は、日単位でエントリが作成されるが、例えば１時間、１ヶ月、１年といった時間間隔で格納することもできる。
「生産量」には、品目の生産量（個数）が格納される。
【００２１】
品目マスタ情報１４は、在庫管理の対象となる品目をどの程度重点的に監視するかを示す情報である。図５を参照すると、品目マスタ情報１４は、「品目」、「重要度」といった項目を有するデータ構造をとっており、品目ごとに生成される。
【００２２】
「品目」には、在庫管理の対象となる品目を識別するＳＫＵコードが格納される。
「重要度」には、品目を重点的に監視する程度を示す値が格納される。前記値には、例えば、極めて重点的に監視することを示す「高」、比較的重点的に監視することを示す「中」、それほど重点的に監視しないことを示す「低」がある。「高」の値が割り当てられた品目は、重点管理品となり、「中」、「低」の値が割り当てられた品目は、非重点管理品となる。
【００２３】
座標軸決定手段２１は、在庫管理の対象となる品目がプロットされる散布図の横軸および縦軸（第１の座標軸、第２の座標軸）の種類を決定する。散布図にプロットされる品目は、例えば、品目マスタ情報１４から読み出される。
【００２４】
前記横軸および前記縦軸には、在庫管理を定量的に表現するための特徴量（第１の特徴量、第２の特徴量）を用いることができる。例えば、座標軸決定手段２１は、現在日から遡った過去１年間の販売実績合計を前記特徴量とし、横軸を決定することができる。また、例えば、座標軸決定手段２１は、現在日から遡った過去１年間の平均在庫実績を前記特徴量とし、縦軸を決定することができる。
【００２５】
なお、特徴量の種類には、さまざまな種類を挙げることができる。例えば、販売実績、在庫実績に限られず、生産実績、リードタイム（製造リードタイム、調達リードタイム、配送リードタイムなど）、在庫回転率を用いてもよい。また、過去に遡る基準時点は現在日に限られず、１週間前の日、１ヶ月前の日、などの所定の日でもよいし、または所定の時刻でもよい。また、遡る期間の幅は過去１年間という期間に限られず、過去１週間、過去１ヶ月間、過去１０年間などの所定の期間でもよい。
【００２６】
散布図表示制御手段２２は、在庫管理の対象となる品目がプロットされる散布図を作成し、表示部に表示させる。散布図は、所定の時点（基準日）に注目して作成される。例えば、現在から遡った過去１年間の販売実績合計を用いた横軸、および現在から遡った過去１年間の平均在庫実績を用いた縦軸からなる散布図の場合、前記注目される時点は、現在日となる。
【００２７】
散布図表示制御手段２２は、在庫実績情報１１、販売実績情報１２、生産実績情報１３のうち少なくとも１つを参照して散布図中のプロットの横軸の値および縦軸の値を取得または算出することができる。
【００２８】
散布図分割手段２３は、入力部からの入力により指定された境界線を用いて散布図を分割する。例えば、散布図の横軸の値を境界値（第１の境界値）として入力することで縦方向に延在する境界線が生成される。また、例えば、散布図の縦軸の値を境界値（第２の境界値）として入力することで横方向に延在する境界線が生成される。縦方向および横方向に延在する境界線はそれぞれ、１または複数生成することができる。
【００２９】
重要度決定手段２４は、入力部からの入力によって、散布図中のプロットに対応する品目ごとに、入力された選択値によりその品目に対する在庫管理の重要度を決定する。前記重要度は、品目マスタ情報１４の項目の１つである「重要度」に対応する。
【００３０】
重要度決定手段２４は、例えば、散布図分割手段２３によって分割された散布図の個々の領域ごとに、その領域に属するすべてのプロットに対応する品目に対して重要度を一度に決定することができる。決定された重要度は、品目マスタ情報１４に格納される。なお、前記個々の領域内の全てに、前記選択値を入力するためのリストが画面表示される。
【００３１】
強調表示制御手段２５は、散布図中のプロットのうち所定の条件を満たすプロットを強調表示する。前記所定の条件としては、例えば、表示される散布図に設定されている時点よりも前となる時点で、在庫管理の対象となる品目の重要度を「高」としたこと、が挙げられる。また、前記所定の条件を、表示される散布図に設定されている時点よりも前となる時点で、在庫管理の対象となる品目の重要度を「中」または「低」としたこと、としてもよい。
【００３２】
図６に示すように、在庫管理装置１の表示部が表示した画面の左下側には、品目ごとにプロットされた散布図が描かれている。ユーザ（例えば、在庫管理を行う管理者）は、図６の画面において、散布図を境界線（縦線、横線）で分割し、重点管理品を特定することができる。図６の画面上のさまざまな入力ボタン、入力欄、表示欄などについては、後記する。
【００３３】
≪処理≫
次に、本実施形態の在庫管理装置１の、重点管理品を特定するための処理ついて具体例を交えながら説明する。
【００３４】
（手順１：散布図の座標軸を決定）
図７（説明の便宜上、図６に対して図示内容の一部を省略している）に示すように、ユーザは、ポインティングデバイスを操作して「軸の設定」タブを開き、横軸コンボボックス３１から「販売実績合計」を選択する。また、ユーザは、ポインティングデバイスを操作して、縦軸コンボボックス３２から「平均在庫実績」を選択する。
【００３５】
これらの選択により、散布図の横軸の特徴量を、散布図の注目する時点（基準日）から遡った過去１年間の販売実績合計とすることができ、散布図の縦軸の特徴量を、散布図の基準日から遡った過去１年間の平均在庫実績とすることができる。なお、横軸コンボボックス３１および縦軸コンボボックス３２は、座標軸決定手段２１の機能によって実現される入力インタフェースである。また、上記の例では、「過去１年間」としているが、１年に限定されず任意の期間とすることができ、座標軸決定手段２１がその期間の入力インタフェースを実現してもよい。
【００３６】
（手順２：散布図の表示）
ユーザは、ポインティングデバイスを操作して、横軸用の計算日コンボボックス３３および縦軸用の計算日コンボボックス３４から、散布図の基準日を選択する。この具体例では、基準日として、ともに現在日（2014/03/13）を選択する。
【００３７】
これらの選択により、散布図の横軸の特徴量を、現在日から遡った過去１年間の販売実績合計とすることができ、散布図の縦軸の特徴量を、現在日から遡った過去１年間の平均在庫実績とすることができる。なお、計算日コンボボックス３３、３４は、散布図表示制御手段２２の機能によって実現される入力インタフェースである。
【００３８】
次に、ユーザは、ポインティングデバイスを操作して、散布図表示ボタン３５を押す。すると、選択された横軸および縦軸を有する散布図上に、在庫管理の対象となる品目に対応するプロットが表示される。各プロットの横軸の値は、販売実績情報１２の、現在日から遡った過去１年間の販売量の合計値である。また、各プロットの縦軸の値は、在庫実績情報１１の、現在日から遡った過去１年間の在庫量の（加算）平均値である。散布図表示ボタン３５は、散布図表示制御手段２２の機能によって実現される入力インタフェースである。また、散布図上の各プロットの位置は、散布図表示制御手段２２が計算し、決定する。
【００３９】
（手順３：境界線の追加）
図８（説明の便宜上、図６に対して図示内容の一部を省略している）に示すように、ユーザは、ポインティングデバイスを操作して、縦境界線追加ボタン４１を押す。すると、散布図上の任意の位置（図８では、横軸の値が1,400）に、１本の縦境界線が表示される。縦境界線を表示することと、前記縦境界線に対応する横軸の値を入力部から入力することは同義である。
また、ユーザは、ポインティングデバイスを操作して、横境界線追加ボタン４２を押す。すると、散布図上の任意の位置（図８では、縦軸の値が453.1）に、１本の横境界線が表示される。横境界線を表示することと、前記横境界線に対応する縦軸の値を入力部から入力することは同義である。
【００４０】
このように、散布図上に１本の縦境界線および１本の横境界線を表示することで、散布図を４分割することができる。なお、縦境界線追加ボタン４１を押すたびに、２本目、３本目、・・・の縦境界線が表示される。横境界線追加ボタン４２を押すたびに、２本目、３本目、・・・の横境界線が表示される。境界線削除ボタン４３を押すと、表示した縦境界線および横境界線を削除することができる。縦境界線追加ボタン４１、横境界線追加ボタン４２、境界線削除ボタン４３は、座標軸決定手段２１の機能によって実現される入力インタフェースである。
【００４１】
散布図の右側には、「交差線」タブが表示されている。「交差線」タブ内には、追加した縦境界線に関する詳細データを公開する「縦線の値」リスト４４と、追加した横境界線に関する詳細データを公開する「横線の値」リスト４５とが表示されている。
【００４２】
「縦線の値」リスト４４を構成する「値」項目には、縦境界線の横軸の値（絶対値）（図８では、1,400）が格納される。
「縦線の値」リスト４４を構成する「アイテム数」項目には、縦境界線が散布図を左右に分割したとき、散布図上の全プロットの数と、前記縦境界線に対応する横軸の値よりも大きな値を持つ（つまり、縦境界線よりも右側にある）プロットの数と、の比を示す品目数構成比率の値（％）（図８では、65.18％）が格納される。この品目数構成比率は、品目数を用いたＡＢＣ分析による第１の品目分類を可能にする。
「縦線の値」リスト４４を構成する「評価値」項目には、縦境界線が散布図を左右に分割したとき、散布図上の全プロットの横軸の値の和と、前記縦境界線に対応する横軸の値よりも大きな値を持つ（つまり、縦境界線よりも右側にある）プロットの横軸の値の和と、の比を示す評価値構成比率の値（％）（図８では、99.05％）が格納される。この評価値構成比率は、評価値を用いたＡＢＣ分析による第２の品目分類を可能にする。
【００４３】
「横線の値」リスト４５を構成する「値」項目には、横境界線の縦軸の値（絶対値）（図８では、453.1）が格納される。
「横線の値」リスト４５を構成する「アイテム数」項目には、横境界線が散布図を上下に分割したとき、散布図上の全プロットの数と、前記横境界線に対応する縦軸の値よりも大きな値を持つ（つまり、横境界線よりも上側にある）プロットの数と、の比を示す品目数構成比率の値（％）（図８では、30.89％）が格納される。この品目数構成比率は、品目数を用いたＡＢＣ分析による第３の品目分類を可能にする。
「横線の値」リスト４５を構成する「評価値」項目には、横境界線が散布図を上下に分割したとき、散布図上の全プロットの縦軸の値の和と、前記横境界線に対応する縦軸の値よりも大きな値を持つ（つまり、縦境界線よりも上側にある）プロットの縦軸の値の和と、の比を示す評価値構成比率の値（％）（図８では、98.71％）が格納される。この評価値構成比率は、評価値を用いたＡＢＣ分析による第４の品目分類を可能にする。
【００４４】
図９（説明の便宜上、図６に対して図示内容の一部を省略している）に示すように、「縦線の値」リスト４４および「横線の値」リスト４５の、「値」項目、「アイテム数」項目、および「評価値」項目のいずれか１つに別の数値を入力することにより、追加した縦境界線および横境界線を移動させることができる。図９においては、別の数値が入力された入力欄を太枠で囲み、別の数値が入力されたことを明瞭にした。「値」項目、「アイテム数」項目、および「評価値」項目のいずれか１つに別の数値が入力されると、残りの２つの項目に対応する数値が自動的に入力される。よって、「縦線の値」リスト４４および「横線の値」リスト４５は、散布図分割手段２３の機能によって実現される入力インタフェースとなる。
【００４５】
また、ユーザは、ポインティングデバイスを操作して、追加した縦境界線および横境界線をドラッグして移動させることができる。この移動にともない、「縦線の値」リスト４４および「横線の値」リスト４５の、「値」項目、「アイテム数」項目、および「評価値」項目に入力される数値が自動更新される。
【００４６】
分割された散布図の各領域の左上隅には、各領域に対応する管理区分コンボボックス５１ａ（５１）、５１ｂ（５１）、５１ｃ（５１）、５１ｄ（５１）が表示されている。詳細は後記するが、現段階では、各領域に管理区分値を何も割り当てていないことを意味する「未割当」が選択されている。
【００４７】
（手順４：各領域の管理区分を選択）
図１０（説明の便宜上、図６に対して図示内容の一部を省略している）に示すように、ユーザは、ポインティングデバイスを操作して、管理区分コンボボックス５１ａ、５１ｂ、５１ｃ、５１ｄから、「高」、「中」、「低」からなる管理区分値（選択値）をそれぞれ選択する。管理区分コンボボックス５１は、重要度決定手段２４の機能によって実現される入力インタフェース（散布図の各領域内に表示されるリスト）である。
【００４８】
分割された散布図の左上領域に属するプロットに対応する品目は、在庫量が大きく販売量が小さいため、過剰在庫の状態にあるといえる。過剰在庫は、管理コストの増大を招く。よって、ユーザは、これらの品目を極めて重点的に管理するために、左上領域の管理区分コンボボックス５１ａから管理区分値「高」を選択する。
【００４９】
分割された散布図の右上領域に属するプロットに対応する品目は、在庫量が大きく販売量も大きいため、在庫水準は適正であるといえる。しかし、売上規模が大きいため、過剰在庫および欠品在庫の状態に陥らないように注意する必要がある。よって、ユーザは、これらの品目を比較的重点的に管理するために、右上領域の管理区分コンボボックス５１ｂから管理区分値「中」を選択する。
【００５０】
分割された散布図の左下領域に属するプロットに対応する品目は、在庫量が小さく販売量も小さいため、在庫水準は適正であるといえる。また、売上規模が小さいため、過剰在庫および欠品在庫の状態に陥らないように注意する必要があまり無い。よって、ユーザは、これらの品目をそれほど重点的に管理しないようにするために、左下領域の管理区分コンボボックス５１ｃから管理区分値「低」を選択する。
【００５１】
分割された散布図の右下領域に属するプロットに対応する品目は、在庫量が小さく販売量が大きいため、欠品在庫の状態にあるといえる。欠品在庫は、販売機会の損失を招く。よって、ユーザは、これらの品目を極めて重点的に管理するために、右下領域の管理区分コンボボックス５１ｄから管理区分値「高」を選択する。
【００５２】
管理区分値「高」、「中」、「低」はそれぞれ、管理区分値「高」、「中」、「低」が割り当てられた領域に属するプロットに対応する品目の重要度を「高」、「中」、「低」にする。
【００５３】
散布図の右側には、「管理区分」タブが表示されている。「管理区分」タブ内には、散布図内の領域ごとに選択した管理区分値の詳細データを公開する管理区分リスト５２が表示されている。管理区分リスト５２は、重要度決定手段２４の機能によって実現される入力インタフェースである。
【００５４】
管理区分リスト５２を構成する「管理区分明細」項目には、管理区分コンボボックス５１で選択する管理区分値「高」、「中」、「低」が格納される。
管理区分リスト５２を構成する「アイテム数」項目には、散布図に表示されるプロットの総数が格納される。表記の便宜上、前記総数は、管理区分値「中」となる品目の数として示されているが、管理区分値「高」または「低」となる品目の数としてもよい。
管理区分リスト５２を構成する「領域」項目には、「管理区分明細」項目に格納された管理区分値が散布図中に割り当てられたか否かを示す値が格納される。図１０では、管理区分値「高」、「中」、「低」の各々に対して「割り当て済み」という値が格納されている。
管理区分リスト５２を構成する「領域内アイテム数」項目には、「管理区分明細」項目に格納された管理区分値が選択された散布図内の分割領域の各々に属するプロットの数が格納される。図１０では、管理区分値「高」、「中」、「低」の各々が選択された分割領域に属するプロットの数が格納されている。管理区分値「高」が選択された領域は２つ（左上領域および右下領域）あるので、管理区分値「高」の「領域内アイテム数」項目には、前記２つの領域の各々に属するプロットの数の和が格納されている。
【００５５】
管理区分コンボボックス５１にて管理区分値が選択された状態であっても、ユーザは、ポインティングデバイスを操作して、追加した縦境界線および横境界線をドラッグして移動させることができる。この移動にともない、管理区分リスト５２の「領域内アイテム数」項目に入力される数値が自動更新される。
なお、縦境界線および横境界線の移動にともない、「縦線の値」リスト４４および「横線の値」リスト４５の、「値」項目、「アイテム数」項目、および「評価値」項目に入力される数値も自動更新される。
【００５６】
（手順５：品目の重要度の決定）
図１１（説明の便宜上、図６に対して図示内容の一部を省略している）に示すように、ユーザは、ポインティングデバイスを操作して、一括設定ボタン６１を押す。すると、散布図内のプロットに対応する品目に対して、管理区分コンボボックス５１で選択した管理区分値に応じた在庫管理の重要度が決定され、品目マスタ情報１４にその重要度が品目ごとに格納される。一括設定ボタン６１は、重要度決定手段２４の機能によって実現される入力インタフェースである。
【００５７】
管理区分コンボボックス５１ａにて管理区分値「高」が選択されたため、一括設定ボタン６１を押したとき、左上領域に属するプロットに対応する品目の重要度は「高」と決定され、重要度「高」が品目マスタ情報１４に格納される。左上領域に属するプロットに対応する品目は、重点管理品である。
管理区分コンボボックス５１ｂにて管理区分値「中」が選択されたため、一括設定ボタン６１を押したとき、右上領域に属するプロットに対応する品目の重要度は「中」と決定され、重要度「中」が品目マスタ情報１４に格納される。右上領域に属するプロットに対応する品目は、非重点管理品である。
管理区分コンボボックス５１ｃにて管理区分値「低」が選択されたため、一括設定ボタン６１を押したとき、左下領域に属するプロットに対応する品目の重要度は「低」と決定され、重要度「低」が品目マスタ情報１４に格納される。左下領域に属するプロットに対応する品目は、非重点管理品である。
管理区分コンボボックス５１ｄにて管理区分値「高」が選択されたため、一括設定ボタン６１を押したとき、右下領域に属するプロットに対応する品目の重要度は「高」と決定され、重要度「高」が品目マスタ情報１４に格納される。右下領域に属するプロットに対応する品目は、重点管理品である。
【００５８】
手順１〜手順５を経て、ユーザは、重点管理品を適切かつ容易に特定することができる。その後、ユーザは、例えば、選出した重要管理品に対して、ＰＳＩ（product sale inventory）グラフのサムネイル表示を在庫管理装置１の表示部に表示し、さまざまな解析ツールを駆使して在庫管理の問題点を追及する。ＰＳＩグラフは、在庫実績情報１１、販売実績情報１２、生産実績情報１３に基づいて作成することができる。
【００５９】
本実施形態によれば、所定の特徴量を基にした品目の分布が散布図として可視化されるので、ユーザは、重点管理品と非重点管理品との境界を視覚的に把握できる。また、ユーザは、重点管理品と非重点管理品とを分ける縦境界線および横境界線を直接的または数値入力により間接的に移動させることができるので、重点管理品および非重点管理品を容易にかつ効率的に特定することができる。よって、本実施形態は、在庫管理の管理者が品目ごとにその品目に対する在庫管理の重要度を決定することを支援することができる。
【００６０】
また、「縦線の値」リスト４４および「横線の値」リスト４５に「アイテム数」項目を導入し、縦境界線および横境界線は、散布図のプロットに対応する品目の品目数構成比率を定めている。よって、品目数を用いたＡＢＣ分析を散布図に応用することができる。なお、品目数構成比率は、重点管理品を一定数以内に抑えたい場合に利用するとよい。
また、「縦線の値」リスト４４および「横線の値」リスト４５に「評価値」項目を導入し、縦境界線および横境界線は、散布図の横軸および縦軸を構成する特徴値に基づいた評価値の評価値構成比率を定めている。よって、評価値を用いたＡＢＣ分析を散布図に応用することができる。なお、評価値構成比率は、在庫削減の目標額が決まっている場合など、在庫管理の具体的な数値目標が決まっている場合に利用するとよい。
また、散布図は、２つの特徴値を用いた縦軸および横軸で構成されるので、品目数および評価値を用いたＡＢＣ分析を２元的に行うことができる。よって、ユーザは、ＡＢＣ分析を用いた在庫管理をきめ細かく行うことができる。
【００６１】
［在庫水準の適正化の評価］
本実施形態の在庫管理装置１は、さまざまな基準日における散布図を作成することができる。よって、第１の時点（例えば、現在日）での散布図と、第１の時点より前である第２の時点（例えば、１ヶ月前）での散布図とを対比させることで、重点管理品の在庫水準が適正化されたか否かを評価できる。
【００６２】
図１２に示すように、過去１年間の販売実績合計を横軸とし、過去１年間の平均在庫実績を縦軸とする散布図において、第２の時点でプロットが左上領域内にあって、過剰在庫の重点管理品として特定された品目に注目する。
【００６３】
第１の時点（境界線は評価値構成比率を用いて設定され、その設定は、第２の時点のときと同じ）でそのプロットが右方向に移動し、右上領域内にあれば、ユーザは、販売量が増大したために過剰在庫が解消されたことを視覚的に把握することができる。
また、第１の時点でそのプロットが下方向に移動し、左下領域内にあれば、ユーザは、在庫量が減少したために過剰在庫が解消されたことを視覚的に把握することができる。
【００６４】
また、第１の時点でそのプロットが右下方向に移動したものの、依然として左上領域内にある場合には、ユーザは、過剰在庫は解消されてはいないものの、ある程度は緩和され、在庫水準がある程度は適正化されたことを視覚的に把握することができる。一般的に、在庫水準が適正である品目のプロットは、散布図中の４５度線（横軸をｘ、縦軸をｙとした場合、ｙ＝ｘとなる線）または、散布図中のプロットの集合に最小二乗法を用いて導出した回帰直線の付近に配置される。よって、図１２中の「適正領域」は、前記４５度線または前記回帰直線に沿って形成される。在庫水準が適正化される場合、プロットは「適正領域」に近づく。縦境界線および横境界線は、これらの交差点が適正領域内にあるように追加するのが好ましい。
【００６５】
また、図１２の散布図において、第２の時点でプロットが右下領域内にあって、欠品在庫の重点管理品として特定された品目についても上記の説明を応用することができる。ユーザは、欠品在庫に対して、在庫水準の適正化の評価を行うことができる。
【００６６】
なお、縦境界線および横境界線の位置を、評価値構成比率または品目数構成比率を用いて設定したときは、プロットの相対的な移動を評価することができる。また、縦境界線および横境界線の位置を、絶対値（「縦線の値」リスト４４および「横線の値」リスト４５の構成する「値」項目に格納される値）を用いて設定したときは、プロットの絶対的な移動を評価することになる。
【００６７】
（過去の重点管理品の強調表示）
第１の時点より前である第２の時点での散布図において、プロットが左上領域内にあって、過剰在庫の重点管理品として特定された品目の重要度は、重要度決定手段２４によって「高」となっている。
【００６８】
ここで、ユーザは、第２の時点での散布図の表示中に、ポインティングデバイスを操作して、管理区分タブ内の強調表示ボタン７１（例えば、図６参照）を押す。すると、重要度「高」である過剰在庫の重点管理品に対して強表表示フラグが立つ。強調表示ボタン７１は、強調表示制御手段２５の機能によって実現される入力インタフェースである。強調表示ボタン７１は、強表表示フラグを制御する。
【００６９】
次に、ユーザは、ポインティングデバイスを操作して、計算日コンボボックス３３、３４から第１の時点を選択して、散布図表示ボタン３５を押して、第１の時点での散布図を在庫管理装置１の表示部に表示させる。
【００７０】
次に、ユーザは、第１の時点での散布図（第１時点散布図）の表示中に、ポインティングデバイスを操作して、管理区分タブ内の強調表示ボタン７１を再度押す。すると、図１３に示すように、強調表示制御手段２５は、第１の時点での散布図内のプロットのうち、強表表示フラグが立てられていたプロット（図１３中の白丸）を強調表示する。
【００７１】
ユーザは、強調表示されたプロットの位置を見て、第２の時点での過剰在庫の重点管理品が適正化されたか否かを把握することができる。強調表示されたプロットが右上領域内または左下領域内に存在している場合、ユーザは、過剰在庫が解消されたと即座に把握することができる。このとき、ユーザは、強調表示されたプロットに対応する品目は、重点管理品としないように処理することができる。
同時に、ユーザは、強調表示されたプロットが左上領域内にしている場合には、過剰在庫が解消されていないことを即座に把握することができる。ユーザは、引き続き重点管理品として扱い、原因調査のアクションをとる。
【００７２】
強調表示制御手段２５は、重要度「高」である欠品在庫の重点管理品に対しても、プロットの強表表示をすることができる。ユーザは、強調表示されたプロットの位置を見て、第２の時点での過剰在庫の重点管理品が適正化されたか否かを把握することができる。
【００７３】
本実施形態によれば、過去の時点で特定した重点管理品に対して、所定の在庫管理手法を施した結果、その後の在庫水準が適正化されたか否かを容易に確認することができる。なお、前記所定の在庫管理手法には、例えば、発注方式の変更（発注点発注→定期発注）、安全在庫の在庫量を上げる（または下げる）、などがある。
よって、本実施形態は、在庫管理の管理者が過去にした在庫管理の意思決定（重点管理品の特定）を容易に評価することができ、在庫管理の管理者が品目ごとにその品目に対する在庫管理の重要度を決定することを支援することができる。
【００７４】
一方、強調表示制御手段２５は、重要度が「中」「低」である非重点管理品に対しても、プロットの強表表示をすることができる。この場合、ユーザは、強調表示されたプロットの位置を見て、第２の時点での非重点管理品が不適正化してしまったか否かを把握することができる。第２の時点で右上領域内または左下領域内に存在していたプロットが、左上領域内または右下領域内に移動していたとき、非重点管理品が不適正化してしまったといえる。ユーザは、左上領域内または右下領域内に存在している強調表示されたプロットについては、第２の時点から第１の時点の間に在庫状態が悪化した重点管理品として扱い、原因調査のアクションをとる。
【００７５】
≪他の実施形態≫
散布図中に追加される境界線は、座標軸に平行な縦境界線および横境界線に限定されない。例えば、４５度線または回帰直線そのもので散布図を分割することができる。４５度線または回帰直線は、在庫管理の理想線であり、４５度線または回帰直線の線上にあるプロットは在庫管理のバランスが最適化されているといえる。よって、プロットが、４５度線または回帰直線から離れているほど、そのプロットに対応する品目の在庫管理が悪化しているといえる。
【００７６】
そこで、散布図上のプロットと４５度線または回帰直線との距離を乖離度として算出する手段を在庫管理装置１に備え、乖離度が所定値以上となる品目を重点管理品として特定することができる。このような処理を行うことで、乖離度を用いた品目の定量的な在庫管理を実現し、この他の実施形態は、在庫管理の管理者が品目ごとにその品目に対する在庫管理の重要度を決定することを、異なる観点から支援することができる。
なお、この他の実施形態は、縦境界線および横境界線を用いないため、最初の実施形態で説明した、品目数または評価値を用いたＡＢＣ分析を行うことはできない。
【００７７】
≪その他≫
特定のプロットが、第１の時点よりも前の第２の時点で作成された散布図を用いて重要度が「高」として決定されていた場合において、第１の時点での散布図を作成し、前記特定のプロットに対応する品目の重要度を再度「高」と決定したとき、そのときに初めてその品目を重点管理品とするように制御してもよい。
【００７８】
特定のプロットが、第１の時点よりも前の第２の時点で作成された散布図を用いて重要度が「低」または「中」として決定されていた場合において、第１の時点での散布図を作成し、前記特定のプロットに対応する品目の重要度を再度「低」または「中」と決定したとき、以降の散布図の表示から前記特定のプロットを除外するように制御してもよい。前記特定のプロットは重点管理品として扱う可能性はほとんど無いからである。具体的には、前記除外する特定のプロットに表示除外フラグを立てて品目マスタ情報１４に格納させる。このような処理により、在庫管理リソースを確保することができる。
【００７９】
なお、本実施形態において、ハードウェアで実現した構成要素をソフトウェアで実現することができ、ソフトウェアで実現した構成要素をハードウェアで実現することができる。
また、本実施形態に記載した技術的事項を適宜組み合わせて新たな技術を実現することができる。
その他ハードウェア、ソフトウェア、データベース等の具体的な構成について、本発明の趣旨を逸脱しない範囲で適宜変更が可能である。
【符号の説明】
【００８０】
１      在庫管理装置
１１    在庫実績情報
１２    販売実績情報
１３    生産実績情報
１４    品目マスタ情報
２１    座標軸決定手段
２２    散布図表示制御手段
２３    散布図分割手段
２４    重要度決定手段
２５    強調表示制御手段
３１    横軸コンボボックス（座標軸決定手段）
３２    縦軸コンボボックス（座標軸決定手段）
３３    計算日コンボボックス（散布図表示制御手段）
３４    計算日コンボボックス（散布図表示制御手段）
４１    縦境界線追加ボタン（座標軸決定手段）
４２    横境界線追加ボタン（座標軸決定手段）
４３    境界線削除ボタン（座標軸決定手段）
４４    「縦線の値」リスト（散布図分割手段）
４５    「横線の値」リスト（散布図分割手段）
５１、５１ａ、５１ｂ、５１ｃ、５１ｄ  管理区分コンボボックス（重要度決定手段）
５２    管理区分リスト（重要度決定手段）
６１    一括設定ボタン（重要度決定手段）
７１    強調表示ボタン（強調表示制御手段）
【図１】
2015185007.tif 000003
【図２】
2015185007.tif 000004
【図３】
2015185007.tif 000005
【図４】
2015185007.tif 000006
【図５】
2015185007.tif 000007
【図６】
2015185007.tif 000008
【図７】
2015185007.tif 000009
【図８】
2015185007.tif 000010
【図９】
2015185007.tif 000011
【図１０】
2015185007.tif 000012
【図１１】
2015185007.tif 000013
【図１２】
2015185007.tif 000014
【図１３】
2015185007.tif 000015